(57)【要約】【課題】部品点数を少なくして簡易な構成とした軒樋支持具を提供する。【解決手段】ロックレバー３０は、連結軸３が貫通する軸孔部３２を有した基板部３１と、基板部３１の側端より延設された把持部３３とを備えた構成とされ、基板部３１には板面より樋支持具本体２０の板面に向けて突出した突部（突片３４）が形成されており、把持部３３を操作して、ロックレバー３０をロック位置に回転したときには、突部が樋支持具本体２０の板面を押圧して、樋支持具本体２０が取付杆１０と基板部３１との間に挟持、固定され、一方、ロックレバー３０をアンロック位置に回転したときには、突部による押圧状態が解除され、樋支持具本体２０が取付杆１０にスライド可能になる。【選択図】図１
2017133273.tif 000002
【特許請求の範囲】
【請求項１】
取付杆にスライド可能に連結される、長孔を有し板状に形成され長手方向の両端部に樋耳支持部を有した樋支持具本体と、横方向に回転させるロックレバーとを備え、これらを重ねて上下に貫通する連結軸で連結し、前記樋支持具本体が所望の位置で固定される軒樋支持具において、
前記ロックレバーは、前記連結軸が貫通する軸孔部を有した基板部と、該基板部の側端より延設された把持部とを備えた構成とされ、前記基板部には板面より前記樋支持具本体の板面に向けて突出した突部が形成されており、
前記把持部を操作して、前記ロックレバーをロック位置に回転したときには、前記突部が前記樋支持具本体の板面を押圧して、前記樋支持具本体が前記取付杆と前記基板部との間に挟持、固定され、一方、前記ロックレバーをアンロック位置に回転したときには、前記突部による押圧状態が解除され、前記樋支持具本体が前記取付杆にスライド可能になることを特徴とする軒樋支持具。
【請求項２】
請求項１において、
前記樋支持具本体の板面には、前記長孔の側方に、長手方向に連続する凹凸部が形成されている一方、幅方向の両端に、長手方向に延びる、前記凹凸部の凹部よりも深い凹条が形成されており、
前記突部は一組の突片よりなり、
前記突片は、前記ロック位置では前記凹部に係合し、前記アンロック位置では前記凹条に遊嵌することを特徴とする軒樋支持具。
【請求項３】
請求項２において、
前記突片は、前記基板の端部より相互に離れるように湾曲状に延出した形状とされ、ばね性を有していることを特徴とする軒樋支持具。
【発明の詳細な説明】
【技術分野】
【０００１】
本発明は、取付杆にスライド可能に連結される樋支持具本体と、横方向に回転させるロックレバーとを備えた軒樋支持具に関する。
【背景技術】
【０００２】
この種の軒樋支持具として従来、種々のものが提案、実施されている（たとえば、特許文献１参照）。
【０００３】
この軒樋支持具は、壁面等からの軒樋の出具合調節ができるものであり、ロックレバーをロック位置に回転させたときに、樋支持具本体が圧接にて取付杆に固定されるようになっている。このような圧接による固定は、樋支持具本体とロックレバーの基板部との間に膨出部が形成されたストッパー座金を介装することで実現されている。
【０００４】
具体的には、ロックレバーの基板部が膨出部に乗り上げることで圧接状態（ロック状態）となり、基板部を膨出部から降ろす（外す）ことで圧接状態が解除される状態（アンロック状態）になっている。
【０００５】
このようなロック、アンロックの位置替え操作は、ロックレバーの横回転によってなされる。特許文献１に記載されたロックレバーは、手指でつかみやすい形状となっており、かつ樋支持具本体の下方に設けてあるため、高所であっても比較的簡単に取り付けおよび出具合調節作業（位置替え操作）を行うことができる。
【先行技術文献】
【特許文献】
【０００６】
【特許文献１】特開２００２−３３２７２９号公報
【発明の概要】
【発明が解決しようとする課題】
【０００７】
しかしながら、この軒樋支持具は多数の部品により構成されているため、製造（組み立て）には多くの時間を要し、組み立てミスも生じやすい。また、部品点数が多いため材料費も多くかかる。さらに、部品ごとの製造誤差により、組み立てられた製品には大きな誤差が生じる場合があり、組み立て後の調整が必要となるおそれもある。また、ストッパー座金は樋支持具本体の裏側に配する小さな部品であるため、組み立て作業などにおいて取り扱いがしにくいという問題もある。
【０００８】
本発明は、このような事情を考慮して提案されたもので、その目的は、部品点数を少なくして簡易な構成とした軒樋支持具を提供することにある。
【課題を解決するための手段】
【０００９】
上記目的を達成するために、請求項１に記載の軒樋支持具は、取付杆にスライド可能に連結される、長孔を有し板状に形成され長手方向の両端部に樋耳支持部を有した樋支持具本体と、横方向に回転させるロックレバーとを備え、これらを重ねて上下に貫通する連結軸で連結し、樋支持具本体が所望の位置で固定される軒樋支持具において、ロックレバーは、連結軸が貫通する軸孔部を有した基板部と、基板部の側端より延設された把持部とを備えた構成とされ、基板部には板面より樋支持具本体の板面に向けて突出した突部が形成されており、把持部を操作して、ロックレバーをロック位置に回転したときには、突部が樋支持具本体の板面を押圧して、樋支持具本体が取付杆と基板部との間に挟持、固定され、一方、ロックレバーをアンロック位置に回転したときには、突部による押圧状態が解除され、樋支持具本体が取付杆にスライド可能になることを特徴とする。
【００１０】
請求項２に記載の軒樋支持具は、樋支持具本体の板面には、長孔の側方に、長手方向に連続する凹凸部が形成されている一方、幅方向の両端に、長手方向に延びる、前記凹凸部の凹部よりも深い凹条が形成されており、突部は一組の突片よりなり、突片は、ロック位置では凹部に係合し、アンロック位置では凹条に遊嵌することを特徴とする。
【００１１】
請求項３に記載の軒樋支持具は、突片が、基板の端部より相互に離れるように湾曲状に延出した形状とされ、ばね性を有していることを特徴とする。
【発明の効果】
【００１２】
請求項１に記載の軒樋支持具によれば、上述した構成となっているため、軒樋支持具を簡易な構成とすることができる。また、従来のものよりも部品点数を少なくでき、コストの低減化を図ることができる。また、部品点数を少なくしているため製品の誤差も生じにくい。
【００１３】
請求項２に記載の軒樋支持具によれば、突片が凹凸部の凹部に係合してロックする構成であるため、段階的な出具合の微調整ができ、ロック後のずれの発生を防止することもできる。また、上述した構成となっているため、ロック状態、アンロック状態を確実に形成することができる。さらに、アンロック位置では両突片が樋支持具本体の幅寸法内に収まるので見栄えもよい。
【００１４】
請求項３に記載の軒樋支持具によれば、上述した構成となっているため、回転操作の際に突片の先端が凹凸部の凸部を乗り上げやすく、スムーズな調節作業を実施できる。
【図面の簡単な説明】
【００１５】
【図１】本発明の一実施形態に係る軒樋支持具の分解斜視図である。
【図２】軒樋支持具に使用されているロックレバーの説明図である。（ａ）はロックレバーの縦断面図、（ｂ）はロックレバーの他の縦断面図、（ｃ）はロックレバーの底面図である。
【図３】軒樋支持具の要部を拡大した概略底面図である。（ａ）はロック位置、（ｂ）はアンロック位置の図である。
【図４】軒樋支持具の要部を拡大した概略縦断面図である。（ａ）はロック位置、（ｂ）はアンロック位置の図である。
【発明を実施するための形態】
【００１６】
以下に、本発明の実施の形態に係る軒樋支持具について、添付図面にもとづいて説明する。まず、軒樋支持具１の基本構成について説明する。
【００１７】
この軒樋支持具１は、取付杆１０にスライド可能に連結される、長孔２３を有し板状に形成され長手方向の両端部に樋耳支持部２２を有した樋支持具本体２０と、横方向に回転させるロックレバー３０とを備え、これらを重ねて上下に貫通する連結軸３で連結し、樋支持具本体２０が所望の位置で固定される樋支持具である。
【００１８】
ロックレバー３０は、連結軸３が貫通する軸孔部３２を有した基板部３１と、基板部３１の側端より延設された把持部３３とを備えた構成とされ、基板部３１には板面より樋支持具本体２０の板面に向けて突出した突部（以下に詳述する実施形態では一組の突片３４）が形成されている。
【００１９】
そして、把持部３３を操作して、ロックレバー３０をロック位置に回転したときには、突部が樋支持具本体２０の板面を押圧して、樋支持具本体２０が取付杆１０と基板部３１との間に挟持、固定される。一方、ロックレバー３０をアンロック位置に回転したときには、突部による押圧状態が解除され、樋支持具本体２０が取付杆１０にスライド可能になる。
【００２０】
このように、この軒樋支持具１はロック、アンロックの切り替えを行うために従来使用していたストッパー座金を必要としない。したがって、従来に比べ部品点数を少なくでき、簡易な構成とすることができる。また、部品点数を少なくしているため製品の誤差も生じにくく、省材料化でき、部品の保管、管理に関する効率化を図ることができる。
【００２１】
ついで、図１に示した軒樋支持具１の詳細な構成、効果について説明する。
【００２２】
軒樋支持具１を構成する主要部材である、取付杆１０、樋支持具本体２０、ロックレバー３０の３部材は、上から上記の順に重ね連結軸３で連結されるものである。ロックレバー３０はロック、アンロックを切り替えるための部材であり、これを横方向に回転操作してロック位置に動作させたときには３部材がロックの状態となり、アンロック位置に動作させたときに出具合調節のための樋支持具本体２０のスライドが可能となる。つまり、アンロック位置では、ロックレバー３０は軸位置が取付杆１０と変わらず一定の位置にとどまり、それらの間に挟まれた樋支持具本体２０のみがスライド移動する。
【００２３】
ロック、アンロックの操作をするためのロックレバー３０は、図２（ａ）〜（ｃ）に示すように、軸孔部３２が開設された基板部３１と、その対向する側端より下方に延びた一対の把持部３３と、上方に突出した一対の突片３４よりなる突部とを備えている。図１に示したロックレバー３０は、１枚の板材に切断、折り曲げ等の加工をして成形されている。
【００２４】
また一対の突片３４は、基板部３１の端部より相互に離れるように湾曲状に延出した形状とされ、ばね性を有している。なお、このばね性はロック位置からアンロック位置への回転操作をスムーズにさせるためのものである。さらに柔軟にするために、図２（ｂ）に２点鎖線で示したように二股形状としてもよい。また、突片３４の先端の角部３４ａは湾曲形状となっている。
【００２５】
取付杆１０は、軒先等に固定される取付足板１１の上端中央から前方に向けて足杆１２が延設され、この足杆１２の前方に段落ち形成された連結片部１３を有してなる。この連結片部１３には、下方に配設、重合する樋支持具本体２０、ロックレバー３０に対して連結軸３で連結するための軸孔部１４が開設されている。
【００２６】
樋支持具本体２０は、長板状のスライド板本体２１の前後両端に、図１に示したような軒樋５を吊り下げ支持するための樋耳支持部２２を有している。なお、樋耳支持部２２は図例のものに限定されず、軒樋５の形状に応じて種々のものを採用できる。
【００２７】
また、スライド板本体２１の幅方向の中央には長手方向に沿って長孔２３が開設されている。この長孔２３は取付杆１０、ロックレバー３０の間に重合し、軸連結するための出具合調節用のスライド用孔である。
【００２８】
スライド板本体２１の板面の長孔２３の幅方向の両側には、長手方向に連続する凹凸部２４が形成されている。なお、本例の樋支持具本体２０では上下両面に連続凹凸が表出してあるが、連続凹凸が下面のみに形成されたものであってもよい。
【００２９】
また、樋支持具本体２０の幅方向の両端の下面側には、長手方向に延びる、凹凸部２４の凹部２４ａよりも深い凹条２５が形成されている。この凹条２５は、幅方向の両端に折り曲げ形成された補強リブ２６の裏側を利用したものであり、その凹条２５の幅寸法はロックレバー３０の突片３４の板厚よりも十分に大きい。
【００３０】
この軒樋支持具１は、図１に示すように、取付杆１０、樋支持具本体２０およびロックレバー３０の３部材の各軸孔に上から連結軸３（本例ではリベット）を挿通し、ロックレバー３０の基板部３１の下側に突出した連結軸３の下端にばねワッシャ７、座金８を挿通したうえで、その下端をかしめ止めすることで連結されている。
【００３１】
図３は、上記３部材が連結軸３で連結された軒樋支持具１の概略底面図である。図３（ａ）はロック位置、図３（ｂ）はアンロック位置での各概略底面図である。ロック位置とは、図３（ａ）のように両突片３４が樋支持具本体２０の長手方向に沿って並んだ位置であり、一方、アンロック位置とは、図３（ｂ）のように両突片３４が樋支持具本体２０の長手方向に直交する方向に並んだ位置である。また、図３（ａ）に対応する軒樋支持具１の概略縦断面図が図４（ａ）であり、図３（ｂ）に対応する軒樋支持具１の概略縦断面図が図４（ｂ）である。
【００３２】
ロック位置では、図３（ａ）および図４（ａ）に示すように、両突片３４はそれぞれに対応した凹凸部２４の凹部２４ａに係合する。この状態では、両突片３４が樋支持具本体２０の板面を押圧して、樋支持具本体２０が取付杆１０と基板部３１との間に挟持、固定されている。こうして、ロック位置では取付杆１０、樋支持具本体２０、ロックレバー３０の３部材が上下間で前後方向にずれないようにしっかりと固定される。
【００３３】
ロック位置にある状態でロックレバー３０を回転操作したときには、両突片３４は弾性変形しながら凹凸部２４の凸部２４ｂに乗り上げ、凹条２５の位置に移動する。このロックレバー３０の状態（位置）が、図３（ｂ）および図４（ｂ）に示したアンロック位置である。
【００３４】
アンロック位置では、図３（ｂ）に示すように、突片３４は凹条２５に対し遊嵌した状態となり、凹条２５が凹凸部２４の凹部２４ａよりも深く形成されているため突片３４は弾性復帰した状態となる。凹条２５が凹凸部２４の凹部２４ａよりも深いので、図４（ｂ）に示すように、３部材は上下方向に緩んだ状態となり、樋支持具本体２０は取付杆１０に対しスライド自在となる。
【００３５】
このように、ロック、アンロック操作を繰り返しながら適切な位置で３部材をロック状態にすることができる。そして、軒樋５（樋支持具本体２０）の出具合調節をすることができる。
【００３６】
また、本実施形態の軒樋支持具１によれば、突部が一組の突片３４で構成され、それらが連続する凹凸部２４の凹部２４ａに係合するようになっているので、ロックしたのちの前後方向のずれが生じにくい。凹凸部２４は連続凹凸であるため、段階的な出具合の微調整ができる。
【００３７】
さらに、突部が前後一組の突片３４で構成されているので樋支持具本体２０を強固に固定できる。また、突片３４がばね性を有しかつ角部３４ａが丸くなっているので、回転操作をスムーズにすることができる。また、突片３４はばね性を有しているため、ばねワッシャ７を使用しなくてもよい。
【００３８】
さらにまた、アンロック位置では突片３４が補強リブ２６の凹条２５に遊嵌するようになっているので、アンロック位置で突片３４がじゃまにならず、美観にも影響がない。なお、突片３４が樋支持具本体２０の幅方向の外側に移動することでアンロックされる構成であってもよい。
【００３９】
なお、突部による押圧、固定構造は上記のような板ばね状のものに限られない。突部はたとえばばね性を有しない突起形状であってもよい。また、突部は一組によるものでなくてもよい。
【符号の説明】
【００４０】
１            軒樋支持具
３            連結軸
５            軒樋
１０          取付杆
１４          軸孔部
２０          樋支持具本体
２１          スライド板本体
２２          樋耳支持部
２３          長孔
２４          凹凸部
２４ａ        凹部
２４ｂ        凸部
２５          凹条
３０          ロックレバー
３１          基板部
３２          軸孔部
３３          把持部
３４          突片（突部）
【図１】
2017133273.tif 000003
【図２】
2017133273.tif 000004
【図３】
2017133273.tif 000005
【図４】
2017133273.tif 000006
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
取付杆にスライド可能に連結される、長孔を有し板状に形成され長手方向の両端部に樋耳支持部を有した樋支持具本体と、横方向に回転させるロックレバーとを備え、これらを重ねて上下に貫通する連結軸で連結し、前記樋支持具本体が所望の位置で固定される軒樋支持具において、
前記ロックレバーは、前記連結軸が貫通する軸孔部を有した基板部と、該基板部の側端より延設された把持部とを備えた構成とされ、前記基板部には板面より前記樋支持具本体の板面に向けて突出した突部が形成されており、
前記把持部を操作して、前記ロックレバーをロック位置に回転したときには、前記突部が前記樋支持具本体の板面を押圧して、前記樋支持具本体が前記取付杆と前記基板部との間に挟持、固定され、一方、前記ロックレバーをアンロック位置に回転したときには、前記突部による押圧状態が解除され、前記樋支持具本体が前記取付杆にスライド可能になるように構成されており、
前記樋支持具本体の板面には、前記長孔の側方に、長手方向に連続する凹凸部が形成されている一方、幅方向の両端に、長手方向に延びる、前記凹凸部の凹部よりも深い凹条が形成されており、
前記突部は一組の突片よりなり、
前記突片は、前記ロック位置では前記凹部に係合し、前記アンロック位置では前記凹条に遊嵌することを特徴とする軒樋支持具。
【請求項２】
請求項１において、
前記突片は、前記基板部の端部より相互に離れるように湾曲状に延出した形状とされ、ばね性を有していることを特徴とする軒樋支持具。
【手続補正２】
【補正対象書類名】明細書
【補正対象項目名】０００９
【補正方法】変更
【補正の内容】
【０００９】
上記目的を達成するために、請求項１に記載の軒樋支持具は、取付杆にスライド可能に連結される、長孔を有し板状に形成され長手方向の両端部に樋耳支持部を有した樋支持具本体と、横方向に回転させるロックレバーとを備え、これらを重ねて上下に貫通する連結軸で連結し、樋支持具本体が所望の位置で固定される軒樋支持具において、ロックレバーは、連結軸が貫通する軸孔部を有した基板部と、基板部の側端より延設された把持部とを備えた構成とされ、基板部には板面より樋支持具本体の板面に向けて突出した突部が形成されており、把持部を操作して、ロックレバーをロック位置に回転したときには、突部が樋支持具本体の板面を押圧して、樋支持具本体が取付杆と基板部との間に挟持、固定され、一方、ロックレバーをアンロック位置に回転したときには、突部による押圧状態が解除され、樋支持具本体が取付杆にスライド可能になるように構成されており、樋支持具本体の板面には、長孔の側方に、長手方向に連続する凹凸部が形成されている一方、幅方向の両端に、長手方向に延びる、凹凸部の凹部よりも深い凹条が形成されており、突部は一組の突片よりなり、突片は、ロック位置では凹部に係合し、アンロック位置では凹条に遊嵌することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２に記載の軒樋支持具は、突片が、基板部の端部より相互に離れるように湾曲状に延出した形状とされ、ばね性を有していることを特徴とする。
【手続補正５】
【補正対象書類名】明細書
【補正対象項目名】００１３
【補正方法】変更
【補正の内容】
【００１３】
また、請求項１に記載の軒樋支持具によれば、突片が凹凸部の凹部に係合してロックする構成であるため、段階的な出具合の微調整ができ、ロック後のずれの発生を防止することもできる。また、上述した構成となっているため、ロック状態、アンロック状態を確実に形成することができる。さらに、アンロック位置では両突片が樋支持具本体の幅寸法内に収まるので見栄えもよい。
【手続補正６】
【補正対象書類名】明細書
【補正対象項目名】００１４
【補正方法】変更
【補正の内容】
【００１４】
請求項２に記載の軒樋支持具によれば、上述した構成となっているため、回転操作の際に突片の先端が凹凸部の凸部を乗り上げやすく、スムーズな調節作業を実施できる。